(57)【特許請求の範囲】
【請求項１】
表裏の胴部フィルムよりなるという構成要件と、前記表裏胴部フィルムがサイドシール部でシールされているという構成要件と、前記サイドシール部にノッチが形成されているという構成要件とを具備した合成樹脂製包装袋について、当該合成樹脂製包装袋の開口部端縁を段違い状に引き裂くための合成樹脂を基材とする開封用テープにおいて、
テープの長手方向に前記段違い幅を設定するためのものであって前記表裏胴部フィルムの亀裂をブロックするためのものをも兼ねる厚肉帯部を有すること、および、
前記厚肉帯部の両端には、その厚肉帯部の表面より突出したものであって前記表裏胴部フィルムの亀裂をブロックするためのものをも兼ねる切り裂きガイド条が形成されていること、および、
前記厚肉帯部の両端には、さらに、その厚肉帯部の表面より凹んで薄肉の切り裂き部になるものであって、前記切り裂きガイド条の内側に隣接する凹溝が形成されていること、および、
前記切り裂きガイド条の厚さが前記厚肉帯部の厚さを上回るものであるとともに前記切り裂きガイド条の先端部が前記厚肉帯部の表面よりも先方に突出していること、および、 前記合成樹脂製包装袋の開口部内において前記厚肉帯部が前記サイドシール部のノッチと対応して前記表裏胴部フィルムの内側面に取り付けられるものであること
を特徴とする袋開封用テープ。
【請求項２】
請求項１に記載された袋開封用テープが、合成樹脂製包装袋の開口部内において表裏の胴部フィルムの内側面に取り付けられていることを特徴とする包装袋。
【発明の詳細な説明】
【技術分野】
【０００１】
本発明は、袋の開口部端縁を段違い状に引き裂きする袋開封用テープ及び包装袋に関するものである。
【背景技術】
【０００２】
表裏の胴部フィルムよりなる合成樹脂製包装袋において、その開口手段として引き裂き開口部位のサイドシール部にノッチを形成し、このノッチより引き裂き予定線にそって胴部フィルムを引き裂くようにしたことは周知である。しかし、この場合は引き裂いた表裏の胴部フィルムの切り口は同じ高さになる。表裏の胴部フィルムが同じ高さになり表裏の胴部フィルムが密接している切り口を開口するには指の爪先で密接している表裏の胴部フィルムを引き離して指先で切り口を摘み左右に広げる面倒な操作を要し容易に開口ができない問題がある。
【０００３】
この問題を解消するために、２つのノッチを表裏の胴部フィルムのサイドシール部に上下段差を有して設け、この上下段差を有するノッチより引き裂くことにより引き裂いた表裏の胴部フィルムに前記ノッチの上下段差幅の段違い切り口が形成されるようにした合成樹脂製包装袋が提供されている。このものは、段違い切り口により指先で切り口を摘み易く容易に開口することができるが、開封時の引き裂き方向が大きくそれてしまい、想定したラインに沿って開封できないという問題を有している。
【０００４】
この現象を図７及び図８で説明する。図７及び図８は合成樹脂製包装袋を横にして縦に切り裂く状態を示し、１は袋体、２はサイドシール部、３は袋体１の開口部に設けられている再開閉可能なチャック、４は引き裂き開口部位のサイドシール部に形成したノッチである。通常袋を開口するに当たりノッチ４より引き裂きを開始するが、その時必ず程度の差はあるが初期抵抗が生じる。この抵抗が徐々に増加して行くと指先は無意識のうちに図７の矢印Ａ，Ｂの相対方向に向かって引き裂こうとする。尚、これは利き手によって逆方向に行う人もいる。この引き裂くベクトル方向はフィルムの抵抗が強ければ強い程顕著となる。
【０００５】
これにより図８で示すように、サイドシール部２は引き裂き開始のＹ点からサイドシール部２を通過したＸ点のＹーＸ間は直線で切られるが、サイドシール部２を通過したＸ点からは前記矢印Ａ，Ｂの相対方向に向かって引き裂方向に力が作用するため、表胴部フィルムはイ方向に亀裂が生じ、裏胴部フィルムは前記表胴部フィルムのイ方向とは逆方向のロ方向に亀裂が生じる。従って、前述のように開封時の引き裂き方向が大きくそれてしまい、想定したラインに沿って開封できないという問題を有しているのである。
【特許文献１】特開２０００−６９９０公報
【特許文献２】特開平８−２３０９４３公報
【特許文献２】特開平９−３０１３８３公報
【発明の開示】
【発明が解決しようとする課題】
【０００６】
本発明は、開口部の切り口を段違い状に、かつ想定したラインに沿って引き裂き可能とした袋開封用テープ及び包装袋を提供することである。
【課題を解決するための手段】
【０００７】
上記の課題を解決するための本発明の一つは、
表裏の胴部フィルムよりなるという構成要件と、前記表裏胴部フィルムがサイドシール部でシールされているという構成要件と、前記サイドシール部にノッチが形成されているという構成要件とを具備した合成樹脂製包装袋について、当該合成樹脂製包装袋の開口部端縁を段違い状に引き裂くための合成樹脂を基材とする開封用テープにおいて、
テープの長手方向に前記段違い幅を設定するためのものであって前記表裏胴部フィルムの亀裂をブロックするためのものをも兼ねる厚肉帯部を有すること、および、
前記厚肉帯部の両端には、その厚肉帯部の表面より突出したものであって前記表裏胴部フィルムの亀裂をブロックするためのものをも兼ねる切り裂きガイド条が形成されていること、および、
前記厚肉帯部の両端には、さらに、その厚肉帯部の表面より凹んで薄肉の切り裂き部になるものであって、前記切り裂きガイド条の内側に隣接する凹溝が形成されていること、および、
前記切り裂きガイド条の厚さが前記厚肉帯部の厚さを上回るものであるとともに前記切り裂きガイド条の先端部が前記厚肉帯部の表面よりも先方に突出していること、および、 前記合成樹脂製包装袋の開口部内において前記厚肉帯部が前記サイドシール部のノッチと対応して前記表裏胴部フィルムの内側面に取り付けられるものであること
を特徴とするものである。
【０００８】
上記の課題を解決するための本発明の他の一つは、
上記の段落に記載された袋開封用テープが、合成樹脂製包装袋の開口部内において表裏の胴部フィルムの内側面に取り付けられていること
を特徴とするものである。
【発明の効果】
【０００９】
本発明によると、表裏の胴部フィルムの相対方向に向う引き裂くベクトル方向により厚肉部によって亀裂の進行がブロックされ、引き裂き抵抗の一番少ない薄肉部が切り裂きガイド条あるいは玉縁に沿って開封時の引き裂き方向が大きくそれることなく想定したラインに沿って袋の開口部端縁の切り口を段違い状に開封する効果を有している。
【発明を実施するための最良の形態】
【００１０】
以下本発明を実施するための最良の形態を図面に基づいて説明する。袋体を横向きにした状態の要部断面図である図１及び袋体を縦向きにした状態の断面図である図２において、１ａは合成樹脂製の袋体の表胴部フィルム、１ｂは裏胴部フィルム、３は袋体の開口部において袋幅方向に設けられている再開閉可能な雌雄爪よりなるチャック、５は袋体開口部の前記チャック３より上方で表胴部フィルム１ａ、裏胴部フィルム１ｂにチャック３と平行に装着され、袋体の開口部を引き裂き開口したときに表裏胴部フィルム１ａ、１ｂの開口端縁を段違いとする本発明による袋開封用テープである。
【００１１】
前記袋開封用テープ５は、合成樹脂を基材としており、テープの長手方向に前記段違い幅を設定する厚肉帯部６ａ、６ｂと、この厚肉帯部６ａ、６ｂの両端に切り裂きガイド条７ａ，８ａ、７ｂ、８ｂを存在させて切り裂き部となる薄肉の凹溝９ａ、１０ａ、９ｂ、１０ｂを形成した構造である。この袋開封用テープ５は前記厚肉帯部６ａ、６ｂの中心が切り裂き位置Ｃとなるよう図３で示す袋体のサイドシール部２に形成したノッチ４と対応して表裏胴部フィルム１ａ、１ｂの内側面に取り付ける。
【００１２】
前記袋開封用テープ５が取り付けられた袋体の開口部端縁はノッチ４から引き裂くことにより図４で示すように、表裏胴部フィルム１ａは低く、裏胴部フィルム１ｂは高くした段差Ｈの段違いとなる。
【００１３】
この段差Ｈの段違いとなる作用について説明する。その原理は図７及び図８を以て前述したとおり、通常袋を開口するに当たりノッチ４より引き裂きを開始するが、その時必ず程度の差はあるが初期抵抗が生じる。この抵抗が徐々に増加して行くと指先は無意識のうちに図７の矢印Ａ，Ｂの相対方向に向かって引き裂こうとする。尚、これは利き手によって逆方向に行う人もいる。この引き裂くベクトル方向はフィルムの抵抗が強ければ強い程顕著となる。これにより図８で示すように、サイドシール部２は引き裂き開始のＹ点からサイドシール部２を通過したＸ点のＹーＸ間は直線で切られるが、サイドシール部２を通過したＸ点からは前記矢印Ａ，Ｂの相対方向に向かって引き裂方向に力が作用するため、表胴部フィルムはイ方向に亀裂が生じ、裏胴部フィルムは前記表胴部フィルムのイ方向とは逆方向のロ方向に亀裂が生じる。本発明はこの現象を利用しているものである。
【００１４】
すなわち図３で示すように、ノッチ４より引き裂きを開始しサイドシール部２は直線で切られるがサイドシール部２を通過したところから、表胴部フィルム１ａにはイ方向に亀裂が生じ、裏胴部フィルム１ｂには前記表胴部フィルム１ａのイ方向とは逆方向のロ方向に亀裂が生じるが、袋開封用テープ５の厚肉帯部６ａ、６ｂでブロックされ引き裂き抵抗が生じる。
【００１５】
そこで、この引き裂き抵抗に負けまいとして人の指先は図７で示す矢印Ａ，Ｂの相対方向に向かって引き裂こうとする作用し、その方向に表裏胴部フィルム１ａ、１ｂは引き裂かれ、表胴部フィルム１ａ側は凹溝１０ａに亀裂が向かい、裏胴部フィルム１ｂ側は凹溝９ｂに亀裂が向かう。
【００１６】
前記亀裂が表胴部フィルム１ａ側では凹溝１０ａに到達し、裏胴部フィルム１ｂ側では凹溝９ｂに到達して凹溝１０ａ、９ｂを通過して亀裂延長線方向に進もうとするが、表胴部フィルム１ａ側では切り裂きガイド条８ａでブロックされ、裏胴部フィルム１ｂ側では切り裂きガイド条７ｂでブロックされ、引き裂き抵抗の一番少ない凹溝１０ａ、９ｂの薄肉部が切り裂きガイド条８ａ、７ｂに沿って引き裂かれる。これにより、図４で示すように、表裏胴部フィルム１ａは低く、裏胴部フィルム１ｂは高くした段差Ｈの段違いとなる。尚、利き手によって逆方向に行った場合は、凹溝９ａ、１０ｂの薄肉部が切り裂きガイド条７ａ、８ｂに沿って引き裂かれる。
【００１７】
図５は袋開封用テープ５の変形例を示すもので、厚肉帯部６ａを一方の開封用テープ５に設け、他方の開封用テープ５には厚肉帯部６ｂを省略した簡略タイプである。この簡略タイプの袋開封用テープ５においても上記と同様な作用効果を奏する。
【００１８】
また、図６は上記袋開封用テープ５を用いることなく上記と同様な作用効果を得るようにした包装袋である。すなわち、表裏の胴部フィルム１ａ、１ｂの開口部内側面に上下に間隔をあけて平行した２条の玉縁１１ａ、１１ｂ，１２ａ、１２ｂを袋横幅方向に設け、表裏の胴部フィルム１ａ、１ｂの何れか一方又は両方の上下玉縁１１ａ，１２ａ、１１ｂ、１２ｂ間に厚肉帯部６ａを玉縁１１ａ、１１ｂ，１２ａ、１２ｂと平行に設け、サイドシール部に前記厚肉帯部６ａと対応してノッチ４を配置した構造である。このものは、上記の原理に基づき玉縁を引き裂きガイドとして開口端縁の切り口を段違いに引き裂くものである。
【００１９】
上記の実施態様では開口部にチャック３を設けた袋体で説明したがチャック３を有していない袋体にも本発明は適用されることを付言する。
【００２０】
このように本発明は、開封時の引き裂き方向が大きくそれることなく想定したラインに沿って袋の開口部端縁の切り口を段違い状に開封すると共に、開封後の開口部端縁の切り口を左右に広げるさいには厚肉帯部が指先の滑り止めとなり開口し易い切り口となる相乗効果を有している。
【図面の簡単な説明】
【００２１】
【図１】本発明の要部断面図
【図２】本発明の要部断面図
【図３】本発明の要部正面図
【図４】図３の断面図
【図５】袋開封用テープの変形例を示す断面図
【図６】包装袋の要部断面図
【図７】包装袋の引き裂き開始状態を示す図
【図８】包装袋の引き裂き状態の現象を示す要部正面図図
【符号の説明】
【００２２】
１ａ  表胴部フィルム
１ｂ  裏胴部フィルム
２    サイドシール部
３    チャック
４    ノッチ
５    袋開封用テープ
６ａ  厚肉帯部
６ｂ  厚肉帯部
７ａ  切り裂きガイド条
７ｂ  切り裂きガイド条
８ａ  切り裂きガイド条
８ｂ  切り裂きガイド条
９ａ  凹溝
９ｂ  凹溝
１０ａ  凹溝
１０ｂ  凹溝
１１ａ  玉縁
１１ｂ  玉縁
【図１】
0004994138.tif 000002
【図２】
0004994138.tif 000003
【図３】
0004994138.tif 000004
【図４】
0004994138.tif 000005
【図５】
0004994138.tif 000006
【図６】
0004994138.tif 000007
【図７】
0004994138.tif 000008
【図８】
0004994138.tif 000009